(57)【要約】【課題】  操作軸の回転操作時に良好なクリック感触が得られる回転型電気部品を提供する。【解決手段】  軸受け部１ｂを有するケース１と、操作軸３ａが軸受け部１ｂに回転可能に保持された回転部材３と、ケース１に保持され弾性変位可能なアーム部２ａの先端に突出する第１のカム部２ｂを有する弾性部材２と、第１のカム部２ｂと係合しクリック感を生起させる凹凸状の第２のカム部３ｄと、第１の導電部を有し回転部材３に係合され回転部材３の回転に伴い回転される導体板４と、収納部５ａ内に導体板４と摺接して電気信号を出力する第２の導電部を有するハウジング５とを備え、操作軸３ａの回転時に、凹凸状の第２のカム部３ｄと係合する第１のカム部２ｂを、アーム部２ａの弾性変位方向とは直交する回転部材３の回転方向に変位可能に設けた。【選択図】        図１
2007328974.tif 000002
【特許請求の範囲】
【請求項１】
軸受け部を有し下面側が開口された箱状のケースと、このケース上面に突出する操作軸を有し該操作軸が前記軸受け部に回転可能に保持された回転部材と、前記ケースの開口内に保持され弾性変位可能なアーム部の先端に突出する第１のカム部を有する弾性部材と、前記回転部材に設けられ、前記第１のカム部と係合し前記操作軸の回転時のクリック感を生起させる凹凸状の第２のカム部と、第１の導電部を有し前記回転部材に係合され該回転部材の回転に伴い回転される導体板と、上面開口の収納部を有し前記ケースの開口部に係合されると共に、前記収納部内に前記導体板と摺接して電気信号を出力する第２の導電部を有するハウジングとを備え、前記操作軸の回転時に、凹凸状の前記第２のカム部と係合する前記第１のカム部が、前記アーム部の弾性変位方向とは直交する前記回転部材の回転方向に変位可能に設けられていることを特徴とする回転型電気部品。
【請求項２】
前記第１のカム部は、前記弾性部材のアーム部の先端を折り曲げることにより突出させて一体に形成すると共に、前記ケースに弾性部材保持部を設け、この弾性部材保持部に前記弾性部材を遊嵌させて保持することにより、前記第１のカム部が、前記アーム部の弾性変位方向とは直交する前記回転部材の回転方向に変位可能としたことを特徴とする請求項１記載の回転型電気部品。
【請求項３】
前記弾性部材のアーム部の先端に係合用孔部を設けると共に、前記第１のカム部の下端側に係合用突部を設け、この係合用突部を前記係合用孔部に遊嵌させて保持することにより、前記第１のカム部が、前記アーム部の弾性変位方向とは直交する前記回転部材の回転方向に変位可能としたことを特徴とする請求項１記載の回転型電気部品。
【請求項４】
前記第１のカム部の変位可能な隙間を、前記回転部材に設けられた凹凸状の第２のカムの隣り合う凸部の頂部間の距離の半分以下としたことを特徴とする請求項１乃至３の何れかに記載の回転型電気部品。
【請求項５】
前記弾性部材は環状に形成され、前記アーム部は円弧状に一対対向して形成されると共に、これとは直交する方向に対向して一対の脚部が設けられ、この脚部により前記弾性部材が前記ケースの前記弾性部材保持部に保持されていることを特徴とする請求項２記載の回転型電気部品。
【発明の詳細な説明】
【技術分野】
【０００１】
本発明は、各種電気機器に用いられ回転操作によって各種モード等の切り換えを行う回転型電気部品に係り、特に回転操作時にクリック感を発生させるクリック機構に関する。
【背景技術】
【０００２】
従来の回転型電気部品の構造としては、ベースと、このベース内に回動可能に収納されたロータと、このロータを回転する操作軸（円筒部）と、ベースの開口を覆うハウジングとを備え、操作軸を回転操作することにより、ロータが回転させられて、ロータに設けられた可動接触板がベースに設けられた固定接片上を摺動して所望の信号が出力される構成のものが知られている（例えば、特許文献１参照）。
【０００３】
この従来の回転型電気部品の構造を図６、図７に示す。図６は従来の回転型電気部品の要部破断平面図、図７は同じく分解斜視図である。
【０００４】
図において、回転型電気部品は、ベース５１上面の複数の同心円上に、方持ち梁状の固定接片５２を露出形成し、略円板状のローター５７の下面に、下側に複数の環状の接点を有する可動接点板５５を備え、ベース５１の凹部５４とローター５７の回転軸を回転自在に嵌合し、操作軸（円筒部）５６の回転操作でローター５７が回転し、ベース５１上面上を摺動する可動接点板５５の接点が、固定接片５２と接離することにより、スイッチのオン／オフを行うようになっている。
【０００５】
そして、ローター５７の溝６０には、一対の弾性腕部６１−２を有する金属製の弾性部材６１の屈曲部６１−１が固着され、弾性腕部６１−２の先端に設けられたカム用の凸部６１−３が、ローター５７の回転動作に伴って、ハウジング６３の開口部内周面に設けられたカム面を形成する凹凸面６３−３と係合することにより、操作軸５６の回転操作時のクリック感を発生させるようになっている。
【０００６】
【特許文献１】実開昭６１−１４１７２８号公報
【発明の開示】
【発明が解決しようとする課題】
【０００７】
しかしながら、従来の回転型電気部品においては、クリック用の弾性部材はローターの溝に固着されており、操作軸の回転に連動してカム用の凸部がハウジングに形成されたカム用の凹凸面と係合する時に、凸部の頂点を越える際に自身の有する弾性力によって自走して凹部に落ち込むことになるが、その際、操作軸を有するローターごと自走させなくてはならないため、抵抗が大きくなり自走力が弱まることから、良好なクリック感触が得られないという問題があった。
【０００８】
従って、本発明は上記した問題点を解決し、操作軸の回転操作時に良好なクリック感触が得られる回転型電気部品を提供することを目的とする。
【課題を解決するための手段】
【０００９】
上記課題を解決するために本発明では第１の解決手段として、軸受け部を有し下面側が開口された箱状のケースと、このケース上面に突出する操作軸を有し該操作軸が前記軸受け部に回転可能に保持された回転部材と、前記ケースの開口内に保持され弾性変位可能なアーム部の先端に突出する第１のカム部を有する弾性部材と、前記回転部材に設けられ、前記第１のカム部と係合し前記操作軸の回転時のクリック感を生起させる凹凸状の第２のカム部と、第１の導電部を有し前記回転部材に係合され該回転部材の回転に伴い回転される導体板と、上面開口の収納部を有し前記ケースの開口部に係合されると共に、前記収納部内に前記導体板と摺接して電気信号を出力する第２の導電部を有するハウジングとを備え、前記操作軸の回転時に、凹凸状の前記第２のカム部と係合する前記第１のカム部が、前記アーム部の弾性変位方向とは直交する前記回転部材の回転方向に変位可能に設けられている構成とした。
【００１０】
また、第２の解決手段として、前記第１のカム部は、前記弾性部材のアーム部の先端を折り曲げることにより突出させて一体に形成すると共に、前記ケースに弾性部材保持部を設け、この弾性部材保持部に前記弾性部材を遊嵌させて保持することにより、前記第１のカム部が、前記アーム部の弾性変位方向とは直交する前記回転部材の回転方向に変位可能とした構成とした。
また、第３の解決手段として、前記弾性部材のアーム部の先端に係合用孔部を設けると共に、前記第１のカム部の下端側に係合用突部を設け、この係合用突部を前記係合用孔部に遊嵌させて保持することにより、前記第１のカム部が、前記アーム部の弾性変位方向とは直交する前記回転部材の回転方向に変位可能とした構成とした。
【００１１】
また、第４の解決手段として、前記第１のカム部の変位可能な隙間を、前記回転部材に設けられた凹凸状の第２のカムの隣り合う凸部の頂部間の距離の半分以下とした構成とした。
また、第５の解決手段として、前記弾性部材は環状に形成され、前記アーム部は円弧状に一対対向して形成されると共に、これとは直交する方向に対向して一対の脚部が設けられ、この脚部により前記弾性部材が前記ケースの前記弾性部材保持部に保持されている構成とした。
【発明の効果】
【００１２】
上述したように、本発明の回転型電気部品は、軸受け部を有し下面側が開口された箱状のケースと、ケース上面に突出する操作軸を有し操作軸が軸受け部に回転可能に保持された回転部材と、ケースの開口内に保持され弾性変位可能なアーム部の先端に突出する第１のカム部を有する弾性部材と、回転部材に設けられ、第１のカム部と係合し操作軸の回転時のクリック感を生起させる凹凸状の第２のカム部と、第１の導電部を有し回転部材に係合され回転部材の回転に伴い回転される導体板と、上面開口の収納部を有しケースの開口部に係合されると共に、収納部内に導体板と摺接して電気信号を出力する第２の導電部を有するハウジングとを備え、操作軸の回転時に、凹凸状の第２のカム部と係合する第１のカム部が、アーム部の弾性変位方向とは直交する回転部材の回転方向に変位可能に設けられていることから、回転時に回転部材の第２のカム部と係合する第１のカム部が、弾性部材の有する弾発力によってアーム部の弾性変位方向とは直交する回転部材の回転方向に自走することで、操作軸を有する回転部材ごと自走させる必要が無くなるため、抵抗が小さくなり自走力が高まることから、良好なクリック感触が得られる。
【００１３】
また、第１のカム部は、弾性部材のアーム部の先端を折り曲げることにより突出させて一体に形成すると共に、ケースに弾性部材保持部を設け、弾性部材保持部に弾性部材を遊嵌させて保持することにより、第１のカム部が、アーム部の弾性変位方向とは直交する回転部材の回転方向に変位可能としたことから、ケースの弾性部材保持部に弾性部材を遊嵌させて保持するという簡単な構造で、容易に、第１のカム部をアーム部の弾性変位方向とは直交する回転部材の回転方向に自走させることができる。
また、弾性部材のアーム部の先端に係合用孔部を設けると共に、第１のカム部の下端側に係合用突部を設け、係合用突部を係合用孔部に遊嵌させて保持することにより、第１のカム部が、アーム部の弾性変位方向とは直交する回転部材の回転方向に変位可能としたことから、第１のカム部の係合用突部を弾性部材の係合用孔部に遊嵌させて保持するという簡単な構造で、容易に、第１のカム部をアーム部の弾性変位方向とは直交する回転部材の回転方向に自走させることができる。
【００１４】
また、第１のカム部の変位可能な隙間を、回転部材に設けられた凹凸状の第２のカムの隣り合う凸部の頂部間の距離の半分以下としたことから、第１のカム部が第２のカム部の凸部から自走して凹部に落ち込んだ場合でも、この凹部を経由して隣の凸部まで自走する虞がなくなりカム間の飛び越しを確実に防止できる。
また、弾性部材は環状に形成され、アーム部は円弧状に一対対向して形成されると共に、これとは直交する方向に対向して一対の脚部が設けられ、脚部により弾性部材がケースの弾性部材保持部に保持されていることから、確実に弾性部材をケースに保持できると共に、良好なクリック感触が得られる。
【発明を実施するための最良の形態】
【００１５】
以下、本発明の実施の形態を図１乃至図５に示す。図１は本発明の回転型電気部品を示す分解斜視図、図２は本発明の回転型電気部品を示す組立斜視図、図３は本発明の回転型電気部品のケースと弾性部材の遊嵌状態を示す下面図、図４は本発明の弾性部材のアーム部と第１のカム部の遊嵌状態を示す斜視図、図５は同じく弾性部材のアーム部と第１のカム部の遊嵌状態を下面側から見た斜視図である。
【００１６】
図１〜３において、ケース１は、合成樹脂等の絶縁材で下面が開口された箱状に形成されており、平板状の上板部１ａと、この上板部１ａ上に突出して形成された中空状の挿通孔１ｃを有する軸受け部１ｂと、上板部１ａの外周縁に廻らされた側板部１ｄとを有している。また、上板部１ａには、突出して形成された位置決め用のボス１ｅが設けられており、このボス１ｅにより、ケース１が図示しない電気機器の取付基板に位置決めされて取り付けられるものとなっている。
【００１７】
また、対向する一対の側板部１ｄには外方へ突出する係止突起１ｆが設けられている。また、係止突起１ｆが設けられていない側板部１ｄの一つには、切り欠き部１ｇが設けられている。この切り欠き部１ｇに、後述するハウジング５から導出されたリード端子６が配置されると共に、リード端子６の先端が側板部１ｄの外方に突出されている。また、上板部１ａの内天面には中空状の挿通孔１ｃを挟んで一対の凹部１ｈが設けられており、この一対の凹部１ｈが後述する弾性部材２の脚部２ｃを保持する弾性部材保持部を構成している。
【００１８】
弾性部材２は、略円環状の薄板金属板からなり、円弧状に対向して設けられた弾性変位可能な一対のアーム部２ａと、このアーム部２ａの中央先端に突出して設けられた第１のカム部２ｂを有している。また、一対のアーム部２ａとは直交する方向に対向して環状部から外方へ突出する一対の脚部２ｃが設けられている。そして、この一対の脚部２ｃにより弾性部材２がケース１の弾性部材保持部である一対の凹部１ｈに保持されている。
【００１９】
この場合、図３に示すように、ケース１の弾性部材保持部の構造は、一対の凹部１ｈの内壁幅の寸法（Ｌ１）が、一対の脚部２ｃの外形幅の寸法（Ｌ２）よりも若干大きく形成されており、一対の凹部１ｈに一対の脚部２ｃが所定の隙間（Ｌ１−Ｌ２）を有して遊嵌された状態となっている。このように、ケース１の弾性部材保持部に弾性部材２を遊嵌させて保持することにより、第１のカム部２ｂが、アーム部２ａの弾性変位方向とは直交する方向である後述する回転部材３の回転方向（図３に矢印Ａで示す）に変位可能となっている。
【００２０】
回転部材３は、合成樹脂、あるいは亜鉛ダイキャストからなり、略円柱状の操作軸３ａと、この操作軸３ａの根元部に軸線方向とは直交する方向に円板状に設けられた回転体３ｂと、この回転体３ｂの下方に突出された支軸部３ｃとを有している。また、回転体３ｂの上面には、円周方向に複数の凹凸部からなるクリック用の第２のカム部３ｄが設けられており、回転部材３がケース１の軸受け部１ｂに挿入された際には、このクリック用の第２のカム部３ｄに弾性部材２のアーム部２ａに設けられた第２のカム部２ｂが当接され、回転時のクリック感触を生起させるものとなっている。
【００２１】
また、回転体３ｂの下面には、導体板４が係合されている。この導体板４は、フェノール樹脂積層板等の絶縁材からなり、中央に貫通孔４ａを有する円板状をしており、回転部材３の支軸部３ｃが貫通孔４ａに挿通されて回転部材３の回転に伴って共回り可能となっている。また、導体板４の下面には、円周方向に銀やカーボンなどの導電材からなる複数の第１の導電部（図示せず）が形成されている。
【００２２】
ハウジング５は、合成樹脂等の絶縁材からなり、上面が開口された収納部５ａを有する箱形の矩形状に形成されている。このハウジング５の収納部５ａの内底面には、導電性の金属板からなる第２の導電部（図示せず）が内底面から突出した状態で形成されており、ハウジング５の一側面部には、第２の導電部から導出した複数のリード端子６が延出されて配設されている。
【００２３】
そして、このハウジング５がケース１の下面の開口部に係合される際には、リード端子６がケース１の側板部１ｄのひとつに設けられた切り欠き部１ｇに位置決めされて配置されると共に、リード端子６の先端がケース１の側板部１ｄの外方に突出して配置されるものとなっている。
【００２４】
また、ハウジング５のリード端子６が延出された一側面部と交差する方向の一対の側面部には、中央の互いに対向する位置に切り欠き部５ｂが設けられており、この切り欠き部５ｂを挟んで両側には、上面の開口方向に向かって先細に傾斜するくさび状をした一対の膨出部５ｃ、５ｃが設けられている。この膨出部５ｃを設けることにより、ハウジング５がケース１の下面の開口部に係合される際には、ガタの発生が無く確実に係合されるものとなる。
【００２５】
保護板７は、金属板を折り曲げて形成しており、平板状の底板７ａと、一対の側板７ｂ、７ｂを有している。また、一対の側板７ｂ、７ｂには、矩形状の貫通孔からなる係合孔７ｃ、７ｃが設けられており、この係合孔７ｃ、７ｃが、ケース１の対向する一対の側板部１ｄに設けられた外方へ突出する係止突起１ｆと係合されるものとなっている。
【００２６】
次に、本発明の回転型電気部品の組み立て方法を説明する。
まず、ケース１の開口部の天面に設けられた一対の凹部１ｈに、弾性部材２の一対の脚部２ｃを位置決めしてケース１に保持する。
【００２７】
次に、回転体３ｂの下面に導体板４が係合された回転部材３の操作軸３ａを、ケース１の上板１部ａ上に突出して形成された中空状の軸受け部１ｂに挿通して、回転体３ｂと導体板４を開口内に収容し、回転体３ｂの上面に設けられたクリック用の第２のカム部３ｄに弾性部材２のアーム部２ａに設けられた第２のカム部２ｂを当接させた状態で回転部材３をケース１に組み込む。
【００２８】
次に、ハウジング５の収納部５ａを、ケース１の開口部に対向させた状態でケース１にハウジング５を挿入し、リード端子６を一側板部１ｄに設けられた切り欠き部１ｇに位置決めして配置して、リード端子６の先端がケース１の側板部１ｄから突出して配置された状態で、ケース１に係合する。
【００２９】
この時、ハウジング５の一対の側面部に設けられた、くさび状をした一対の膨出部５ｃ、５ｃが、ケース１の開口部の内壁面と圧接されることによりガタの発生が無く確実に係合される。また、回転体３ｂの下面に係合された導体板４の下面に設けられた第１の導電部（図示せず）が、ハウジング５の収納部５ａの内底面に突出して設けられた第２の導電部（図示せず）と接触した状態となる。
【００３０】
次に、ハウジング５の底板部を覆うように、ケース１の下面側から保護板７を装着し、該保護板７の一対の側板７ｂ、７ｂを側板部１ｄに係止することにより、ケース１の側板部１ｄの外側に位置した状態で、保護板７によりハウジング５をケース１の開口部に保持する。
【００３１】
この時、保護板７の一対の側板７ｂ、７ｂに設けられた、矩形状の貫通孔からなる係合孔７ｃ、７ｃが、ケース１の対向する一対の側板部１ｄに設けられた外方へ突出する係止突起１ｆと係合されるものとなる。この場合、保護板７は弾性を有する金属板で形成されていることから、保護板７の係合孔７ｃと係止突起１ｆとはスナップ結合されて保護板７がケース１に係止されるものとなっている。
【００３２】
上記構成の回転型電気部品の動作を説明すると、回転部材３の操作軸３ａが回転操作された時、回転体３ｂが回転し、該回転体３ｂの下面に係合された導体板４の下面に設けられた第１の導電部（図示せず）が、ハウジング５の収納部５ａの内底面に突出して設けられた第２の導電部（図示せず）と摺接して、電気信号を出力するものとなる。尚、この時、回転体３ｂの上面に設けられたクリック用の第２のカム部３ｄ上を、弾性部材２のアーム部２ａに設けられた第２のカム部２ｂが摺動することにより、回転時のクリック感が得られるものとなる。
【００３３】
この時、弾性部材２は一対の脚部２ｃが、ケース１の弾性部材保持部である一対の凹部１ｈに保持されており、図３に示すように、一対の凹部１ｈの内壁幅の寸法（Ｌ１）が、一対の脚部２ｃの外形幅の寸法（Ｌ２）よりも若干大きく形成されていることから、一対の凹部１ｈに一対の脚部２ｃが所定の隙間（Ｌ１−Ｌ２）を有して遊嵌された状態となっている。そして、ケース１の弾性部材保持部に弾性部材２を遊嵌させて保持することにより、第１のカム部２ｂが、アーム部２ａの弾性変位方向とは直交する方向である回転部材３の回転方向（図３に矢印Ａで示す）に変位（若干の移動）するものとなり、このため良好なクリック感触が得られるものとなる。
【００３４】
図４、図５は、本発明の弾性部材２の他の実施例を示す。この場合、弾性部材２は略円環状の薄板金属板からなり、円弧状に対向して設けられた弾性変位可能な一対のアーム部２ａと、このアーム部２ａの中央先端に突出して設けられた第１のカム部と、一対のアーム部２ａとは直交する方向に対向して環状部から外方へ突出する一対の脚部２ｃとを有する点では上記した実施例と同一の構成であるが、第１のカム部がアーム部２ａとは別部品で形成されており、アーム部２ａに移動可能に遊嵌されて取り付けられている点で一部構成が相違している。
【００３５】
すなわち、本実施例では、弾性部材２のアーム部２ａの先端（中央）には、上下に貫通した係合用孔部２ｄが設けられており、また、第１のカム部８は、合成樹脂等の成形品で形成され、上面側に突出したカム８ａと、このカム８ａの下面側にフック状に形成された係合用突部８ｂとを有している。そして、この第１のカム部８が、係合用突部８ｂを係合用孔部２ｄに遊嵌させて保持することにより、第１のカム部８が、アーム部２ａの弾性変位方向とは直交する回転部材３の回転方向に変位可能となっている。
【００３６】
この時、弾性部材２は、一対の脚部２ｃによりケース１の弾性部材保持部である一対の凹部１ｈに保持されるものとなるが、この場合には、図３に示すように、一対の凹部１ｈの内壁幅の寸法（Ｌ１）が、一対の脚部２ｃの外形幅の寸法（Ｌ２）よりも若干大きく形成されている必要は無く、弾性部材２が弾性部材保持部に確実に位置決めされて保持されるように互いの寸法を設定すればよい。
この場合にも、弾性部材２のアーム部２ａに第１のカム部８を遊嵌させて保持させているので、第１のカム部８が、アーム部２ａの弾性変位方向とは直交する方向である回転部材３の回転方向（図３に矢印Ａで示す）に変位（若干の移動）するものとなり、このため良好なクリック感触が得られるものとなる。
【００３７】
上記した本発明の実施例によれば、ケース１の開口内に保持され弾性変位可能なアーム部２ａの先端に突出する第１のカム部２ｂ、８を有する弾性部材２と、回転部材３に設けられ、第１のカム部２ｂ、８と係合し操作軸３ａの回転時のクリック感を生起させる凹凸状の第２のカム部３ｄとを有し、操作軸３ａの回転時に、凹凸状の第２のカム部３ｄと係合する第１のカム部２ｂ、８が、アーム部２ａの弾性変位方向とは直交する回転部材３の回転方向に変位可能に設けられていることから、回転時に回転部材３の第２のカム部３ｄと係合する第１のカム部２ｂ、８が、弾性部材２の有する弾発力によってアーム部２ａの弾性変位方向とは直交する回転部材３の回転方向に自走することで、操作軸３ａを有する回転部材３ごと自走させる必要が無くなるため、抵抗が小さくなり自走力が高まることから、良好なクリック感触が得られるものとなっている。
【図面の簡単な説明】
【００３８】
【図１】本発明の回転型電気部品を示す分解斜視図である。
【図２】本発明の回転型電気部品を示す組立斜視図である。
【図３】本発明の回転型電気部品のケースと弾性部材の遊嵌状態を示す下面図である。
【図４】本発明の弾性部材のアーム部と第１のカム部の遊嵌状態を示す斜視図である。
【図５】本発明の同じく弾性部材のアーム部と第１のカム部の遊嵌状態を下面側から見た斜視図である。
【図６】従来の回転型電気部品を示す要部破断平面図である。
【図７】従来の回転型電気部品を示す分解斜視図である。
【符号の説明】
【００３９】
１：ケース
１ａ：上板部
１ｂ：軸受け部
１ｃ：挿通孔
１ｄ：側板部
１ｅ：ボス部
１ｆ：係止突起
１ｇ：切り欠き部
１ｈ：凹部
２：弾性部材
２ａ：アーム部
２ｂ：第１のカム部
２ｃ：脚部
２ｄ：係合用孔部
３：回転部材
３ａ：操作軸
３ｂ：回転体
３ｃ：支軸部
３ｄ：第２のカム部
４：導体板
４ａ：貫通孔
５：ハウジング
５ａ：収納部
５ｂ：切り欠き部
５ｃ：膨出部
６：リード端子
７：保護板
７ａ：底板
７ｂ：側板
７ｃ：係合孔
８：第１のカム部
８ａ：カム
８ｂ：係合用突部
【図１】
2007328974.tif 000003
【図２】
2007328974.tif 000004
【図３】
2007328974.tif 000005
【図４】
2007328974.tif 000006
【図５】
2007328974.tif 000007
【図６】
2007328974.tif 000008
【図７】
2007328974.tif 000009